(57)【要約】【解決手段】上部デッキ１の裏面１ａに交差状に垂設された補強リブ７と上部デッキにより囲まれた空間部Ａを構成する補強リブの空間部側の壁面７ａに、上部デッキの裏面に近づくほど、補強リブの壁面から遠ざかるように傾斜した傾斜面と８ａ上部水平面８ｂとを有する保持突部８を形成し、該保持突部の上部水平面と上部デッキの裏面との間の間隙に、弾性変形可能なカード部材Ｃを挿入し保持するように構成した合成樹脂製パレットに関するものである。【効果】カード部材を上昇させるだけの作業により、カード部材を、合成樹脂製パレットの上部デッキの裏面に取り付けることができるので、カード部材の取り付け作業の作業性が向上する。【選択図】図２
2004168360.tif 000002
【特許請求の範囲】
【請求項１】
上部デッキの裏面に交差状に垂設された補強リブと上部デッキにより囲まれた空間部を構成する補強リブの空間部側の壁面に、上部デッキの裏面に近づくほど、補強リブの壁面から遠ざかるように傾斜した傾斜面と上部水平面とを有する保持突部を形成し、該保持突部の上部水平面と上部デッキの裏面との間の間隙に、弾性変形可能なカード部材を挿入し保持するように構成したことを特徴とする合成樹脂製パレット。
【請求項２】
上記空間部を構成する上部デッキに、指や適当な棒材等が挿入可能な透孔を穿設したことを特徴とする請求項１に記載の合成樹脂製パレット。
【請求項３】
上記空間部を構成する上部デッキの裏面に、嵌入膨出部を有する嵌入部材を垂設するとともに、カード部材には、前記嵌入膨出部が嵌入可能な透孔を穿設したことを特徴とする請求項１又は請求項２に記載の合成樹脂製パレット。
【発明の詳細な説明】
【０００１】
【発明の属する技術分野】
本発明は、合成樹脂製パレット、特に、合成樹脂製パレットの所有者や載置される荷物の物品名や数量や搬送先等の種々の情報が記憶可能なシート状或いは薄板状のＩＣカード等を取り付けることができる合成樹脂製パレットに関するものである。
【０００２】
【従来の技術】
従来、ＩＤタグが収容される凹部を有するＩＤタグホルダーを、螺子やリベット等の適当な固着具を使用して、上部デッキの裏面に取着するようにした合成樹脂製パレットが知られている（例えば、実開平８−２４４７７３号公報、特開２００１−２７８２７０号公報）。また、上部デッキの裏面に形成された一対の補強リブの基部付近に形成された４つの差込み穴に、ＩＤタグホルダーの水平フランジ部に形成された舌片を差し込むことにより、ＩＤタグホルダーを、上部デッキの裏面に取着するようにした合成樹脂製パレットも知られている（例えば、特開２００１−２７８２７０号公報）。
【０００３】
【発明が解決しようとする課題】
上述した従来の合成樹脂製パレットにおいては、ＩＤタグホルダーの上部デッキの裏面への取り付けが、螺子やリベット等の固着具を用いて行うものであるので、その取り付け作業や取り外し作業の作業性が悪いという問題があった。また、上部デッキの裏面に形成された補強リブの基部付近に形成された差込み穴に、ＩＤタグホルダーの水平フランジ部に形成された舌片を差し込むＩＤタグホルダーの取り付け作業や取り外し作業も、ＩＤタグホルダーの取り付け位置が、上部デッキの裏面であるので、その作業性が悪いという問題があった。
【０００４】
本発明の目的は、上述した従来の合成樹脂製パレットが有する課題を解決することにある。
【０００５】
【課題を解決するための手段】
本発明は、上述した目的を達成するために、第１には、上部デッキの裏面に交差状に垂設された補強リブと上部デッキにより囲まれた空間部を構成する補強リブの空間部側の壁面に、上部デッキの裏面に近づくほど、補強リブの壁面から遠ざかるように傾斜した傾斜面と上部水平面とを有する保持突部を形成し、該保持突部の上部水平面と上部デッキの裏面との間の間隙に、弾性変形可能なカード部材を挿入し保持するように構成したものであり、第２には、上記空間部を構成する上部デッキに、指や適当な棒材等が挿入可能な透孔を穿設したものであり、第３には、上記空間部を構成する上部デッキの裏面に、嵌入膨出部を有する嵌入部材を垂設するとともに、カード部材には、前記嵌入膨出部が嵌入可能な透孔を穿設したものである。
【０００６】
【実施例】
以下に、本発明の実施例について説明するが、本発明の趣旨を越えない限り何ら、本実施例に限定されるものではない。
【０００７】
合成樹脂製パレットは、上部デッキ１と下部デッキ２とを有するとともに、上部デッキ１と下部デッキ２とは、その角部を連結する略角筒状の隅桁３と、該隅桁３の中間部を連結する略角筒状の中間桁４と、上部デッキ１及び下部デッキ２の中央部を連結する略角筒状の中央桁５とにより連結されている。また、隅桁３と中間桁４との間及び中間桁４と中央桁５との間には、フォークが挿入可能なフォーク挿入空間部６が形成されている。
【０００８】
上部デッキ１の裏面１ａには、フォーク挿入空間部６へのフォーク挿入方向及び該フォーク挿入方向と直交する方向に延在する補強リブ７が垂設されている。そして、４つの補強リブ７及び上部デッキ１の裏面１ａにより囲まれた空間部Ａ内に、後述するＩＣカード部材Ｃが配設されることになる。上記のＩＣカード部材Ｃが配設される、補強リブ７及び上部デッキ１の裏面１ａにより囲まれた空間部Ａを、以下においては、ＩＣカード部材配設空間部と称する。
【０００９】
ＩＣカード部材配設空間部Ａを構成する４つの補強リブ７のＩＣカード部材配設空間部Ａ側の壁面７ａの上方中央部には、上部デッキ１の裏面１ａに近づくほど、補強リブ７の壁面７ａから遠ざかるように傾斜した傾斜面８ａと、上部水平面８ｂと、相対する垂直側面８ｃとを有する、略三角柱状の保持突部８が、それぞれ形成されている。４つの補強リブ７のＩＣカード部材配設空間部Ａ側の壁面７ａの上方中央部にそれぞれ形成されている保持突部８の上部水平面８ｂと上部デッキ１の裏面１ａとの間には、後述するＩＣカード部材Ｃの厚さより、若干、大きな間隙ｄ１が形成されている。なお、保持突部８の上方に位置する上部デッキ１に形成されている方形状の透孔１ｂは、保持突部８を成形するための金型が挿入された透孔である。
【００１０】
ＩＣカード部材配設空間部Ａ内に位置する上部デッキ１の略中央部には、透孔９が穿設されており、この透孔９は、作業者の指や適当な太さを有する棒材が挿入可能な大きさに形成されている。透孔９は、図２に示されているように、円形に形成することも、楕円形状や方形状に形成することもできる。
【００１１】
Ｃは．ＩＣカード部材であり、ＩＣカード部材Ｃは、弾性変形可能なシート状のＩＣカードｃ１と、ＩＣカードｃ１が貼着された、同じく弾性変形可能な合成樹脂製シート状の台座板ｃ２とから構成されており、従って、ＩＣカード部材Ｃ自体が、弾性変形可能なように構成されている。ＩＣカード部材Ｃの台座板ｃ２は、上述したＩＣカード部材配設空間部Ａを構成する４つの補強リブ７で囲まれた大きさと略同じ大きさに形成されており、その厚さｔ１は、上述したように、保持突部８の上部水平面８ｂと上部デッキ１の裏面１ａとの間の間隙ｄ１より、若干、小さく形成されている。なお、台座板ｃ２を省略し、ＩＣカードｃ１のみにより、ＩＣカード部材Ｃを構成することもできる。
【００１２】
ＩＣカード部材配設空間部Ａ内に、ＩＣカード部材Ｃを取り付ける場合には、図２に示されているように、ＩＣカード部材配設空間部Ａの直下に、ＩＣカード部材Ｃを配置した後、そのままの状態で、ＩＣカード部材Ｃを上昇させて、ＩＣカード部材配設空間部Ａ内に挿入する。その後、更に、ＩＣカード部材Ｃを上昇させると、ＩＣカード部材Ｃは、ＩＣカード部材配設空間部Ａを構成する４つの補強リブ７の壁面７ａに形成された保持突部８の傾斜面８ａに、ＩＣカード部材Ｃの台座板ｃ２の周縁部が当接するとともに案内されながら上方に湾曲変形し、ＩＣカード部材Ｃの台座板ｃ２が、傾斜面８ａを超えた時点で、その弾性により、平坦な状態に戻ると同時に、ＩＣカード部材Ｃの台座板ｃ２の周縁部が、保持突部８の上部水平面８ｂと上部デッキ１の裏面１ａとの間の間隙ｄ１に挿入されることになる。このようにして、ＩＣカード部材Ｃが、上部デッキ１の裏面１ａに取り付けられることになる。
【００１３】
上述したようにして、上部デッキ１の裏面１ａに取り付けられたＩＣカード部材Ｃを取り外す場合には、ＩＣカード部材配設空間部Ａ内に位置する上部デッキ１に穿設された透孔９に、上部デッキ１の上面１ｃ側から、指や適当な棒材を挿入して、ＩＣカード部材Ｃの略中央部を下方に押すと、ＩＣカード部材Ｃが、下方に湾曲するとともに、ＩＣカード部材Ｃの台座板ｃ２の周縁部が、補強リブ７の壁面７ａに形成された保持突部８の上部水平面８ｂから外れて落下することになる。このようにして、上部デッキ１の裏面１ａに取り付けられたＩＣカード部材Ｃを、指や適当な棒材を使用して、上方から押すだけの作業により、合成樹脂製パレットから取り外すことができる。
【００１４】
上部デッキ１の裏面１ａに交差状に垂設された補強リブ７及び上部デッキ１により囲まれたＩＣカード部材配設空間部Ａを構成する補強リブ７のＩＣカード部材配設空間部Ａ側の壁面７ａの上方中央部に、上部デッキ１の裏面１ａに近づくほど、補強リブ７の壁面７ａから遠ざかるように傾斜した傾斜面８ａと上部水平面８ｂとを有する保持突部８を形成し、弾性変形可能なＩＣカード部材Ｃを、保持突部８の傾斜面８ａに沿って案内するとともに弾性変形させながら上昇させて、ＩＣカード部材Ｃの周縁部を、保持突部８の上部水平面８ｂと上部デッキ１の裏面１ａとの間の間隙ｄ１に挿入し保持するように構成したので、ＩＣカード部材Ｃを上昇させるだけの作業により、ＩＣカード部材Ｃを、合成樹脂製パレットの上部デッキ１の裏面１ａに取り付けることができるので、ＩＣカード部材Ｃの取り付け作業の作業性が向上する。
【００１５】
ＩＣカード部材配設空間部Ａ内に位置する上部デッキ１に穿設された透孔９に、上部デッキ１の上面１ｃ側から、指や適当な棒材を挿入し、ＩＣカード部材Ｃの略中央部を下方に押して、ＩＣカード部材Ｃを弾性変形させるだけの作業により、ＩＣカード部材Ｃを、合成樹脂製パレットの上部デッキ１の裏面１ａから取り外すことができるので、ＩＣカード部材Ｃの取り外し作業の作業性が向上する。
【００１６】
図５に示されている実施例は、ＩＣカード部材配設空間部Ａ内に位置する上部デッキ１の裏面１ａの略中央部に、柱状部１０ａと、柱状部１０ａの下端に連接された略逆角錐台状或いは略逆円錐台の嵌入膨出部１０ｂとからなる嵌入部材１０が垂設されているものである。一方、ＩＣカード部材Ｃの台座板ｃ２の略中央部には、嵌入部材１０の嵌入膨出部１０ｂが嵌入可能な透孔ｃ３が穿設されている。なお、この実施例においては、指や適当な棒材等が挿入可能な透孔９は、嵌入膨出部１０ｂと、ＩＣカード部材配設空間部Ａを構成する短い方の補強リブ７との間に位置する上部デッキ１に、２個、穿設されている。なお、嵌入部材１０の嵌入膨出部１０ｂの上方に位置する上部デッキ１に形成されている方形状の透孔１ｄは、嵌入部材１０を成形するための金型が挿入された透孔である。
【００１７】
上述した実施例と同様に、ＩＣカード部材Ｃの台座板ｃ２の周縁部が、保持突部８の上部水平面８ｂと上部デッキ１の裏面１ａとの間の間隙ｄ１に挿入されるとともに、上部デッキ１の裏面１ａに垂設された嵌入部材１０の嵌入膨出部１０ｂが、ＩＣカード部材Ｃの台座板ｃ２の略中央部に穿設された透孔ｃ３に強制的に嵌入され、台座板ｃ２の透孔ｃ３の周囲に位置する周縁部が、嵌入膨出部１０ｂの上面１０ｂ１に載置されて、ＩＣカード部材Ｃが、上部デッキ１の裏面１ａに取り付けられることになる。このように構成することにより、ＩＣカード部材Ｃを、より確実に、上部デッキ１の裏面１ａに取り付けることができる。
【００１８】
また、上述した実施例と同様に、上部デッキ１に穿設された透孔９に、上部デッキ１の上面１ｃ側から、指や適当な棒材を挿入し、ＩＣカード部材Ｃの略中央部を下方に押して、嵌入部材１０の嵌入膨出部１０ｂを、台座板ｃ２の透孔ｃ３から抜き出すとともに、ＩＣカード部材Ｃの台座板ｃ２の周縁部を、補強リブ７の壁面７ａに形成された保持突部８の上部水平面８ｂから外して、ＩＣカード部材Ｃを、ＩＣカード部材配設空間部Ａから取り出すことになる。
【００１９】
図６に示されている実施例は、図２〜図４に示されている実施例において、上部デッキ１の略中央部に穿設された指や適当な棒材等が挿入可能な透孔９と、ＩＣカード部材配設空間部Ａを構成する短い方の補強リブ７との間に位置する上部デッキ１の裏面に、相対するように、一対の上述した嵌入部材１０を垂設したものであり、また、ＩＣカード部材Ｃの台座板ｃ２には、一対の嵌入部材１０に対応して、嵌入部材１０の嵌入膨出部１０ｂが嵌入可能な透孔ｃ３が、２個、穿設されているものである。ＩＣカード部材Ｃの取り付け、取り外し手段は、図５に示されている実施例と同様であるので、その説明は省略する。
【００２０】
なお、上述した実施例においては、弾性変形可能な合成樹脂製シート状の台座板ｃ２と、該台座板ｃ２に貼着された弾性変形可能なシート状のＩＣカードｃ１とからなるＩＣカード部材Ｃが使用されているが、本発明は、このようなＩＣカード部材Ｃに限定されることなく、種々の情報が記載された弾性変形可能なカード部材や、バーコードが表示された弾性変形可能なカード部材の合成樹脂製パレットの上部デッキ１の裏面１ａへの取り付け或いは取り外しに適用することができる。
【００２１】
【発明の効果】
本発明は、以上説明した構成を有しているので、以下に記載する効果を奏するものである。
【００２２】
上部デッキの裏面に交差状に垂設された補強リブと上部デッキにより囲まれた空間部を構成する補強リブの空間部側の壁面に、上部デッキの裏面に近づくほど、補強リブの壁面から遠ざかるように傾斜した傾斜面と上部水平面とを有する保持突部を形成し、該保持突部の上部水平面と上部デッキの裏面との間の間隙に、弾性変形可能なカード部材を挿入し保持するように構成したので、カード部材を上昇させるだけの作業により、カード部材を、合成樹脂製パレットの上部デッキの裏面に取り付けることができるので、カード部材の取り付け作業の作業性が向上する。
【００２３】
上部デッキの裏面に交差状に垂設された補強リブと上部デッキにより囲まれた空間部を構成する上部デッキに、指や適当な棒材等が挿入可能な透孔を穿設したので、透孔に、上部デッキ１の上面側から、指や適当な棒材を挿入し、カード部材を弾性変形させるだけの作業により、カード部材を、合成樹脂製パレットの上部デッキの裏面から取り外すことができるので、カード部材の取り外し作業の作業性が向上する。
【００２４】
空間部を構成する上部デッキの裏面に、嵌入膨出部を有する嵌入部材を垂設するとともに、カード部材には、嵌入膨出部が嵌入可能な透孔を穿設したので、カード部材を、より確実に、上部デッキの裏面に取り付けることができる。
【図面の簡単な説明】
【図１】図１は本発明の合成樹脂製パレットの斜視図である。
【図２】図２はＩＣカード部材と本発明の合成樹脂製パレットの部分斜視図である。
【図３】図３は本発明の合成樹脂製パレットの部分垂直側断面図である。
【図４】図４はＩＣカード部材が取り付けられた状態の本発明の合成樹脂製パレットの部分斜視図である。
【図５】図５は本発明の別の実施例のＩＣカード部材と合成樹脂製パレットの部分斜視図である。
【図６】図６は本発明の更に別の実施例のＩＣカード部材と合成樹脂製パレットの部分斜視図である。
【符号の説明】
Ｃ・・・・・・・・・・・ＩＣカード部材
ｃ１・・・・・・・・・・ＩＣカード
ｃ２・・・・・・・・・・台座板
１・・・・・・・・・・・上部デッキ
２・・・・・・・・・・・下部デッキ
３・・・・・・・・・・・隅桁
４・・・・・・・・・・・中間桁
５・・・・・・・・・・・中央桁
７・・・・・・・・・・・補強リブ
８・・・・・・・・・・・保持突起
９・・・・・・・・・・・透孔
１０・・・・・・・・・・嵌入部材
【図１】
2004168360.tif 000003
【図２】
2004168360.tif 000004
【図３】
2004168360.tif 000005
【図４】
2004168360.tif 000006
【図５】
2004168360.tif 000007
【図６】
2004168360.tif 000008